(57)【要約】      （修正有）【課題】長年にわたり沈殿付着した運河特有の匂い、その元をなす汚泥を人力、機械わ使わず天地運行の干潮現象を活用した浄化方法にして放流堰により干満差を急流に換えその急流により運河の水を衝突撹拌し汚泥を剥離浮遊せしめて一挙に押し流す方法を提供する。【解決手段】運河巾を長手方向に２分する。中央に散策路を作る。片方に満潮時の海水を堰き止めもう片方からの干潮時に放流堰を一気に開放すると急流になり、怒涛となって汚泥を押し流す手法。【選択図】図３
2010236246.tif 000002
【特許請求の範囲】
【請求項１】
海につながった運河巾を長手方向に二分し中央に堤を築造して散策路とし、海の干満現象を利用し、放流堰を設けて急流を作り上下反転を繰返しやがて怒涛を作り、蓄積した汚泥を剥離浮遊させて押し流すことにより堀川を浄化することを特徴とした浄化方法。
【発明の詳細な説明】
【技術分野】
【０００１】
本発明は運河特有の匂い、汚泥を如何に浄化し、都市環境の改善に役立つという発明に関する。
【背景技術】
【０００２】
江戸時代築城目的で構築された運河（全長７ｋｍ）は名古屋市にとっては唯一の河川として親しまれ愛されてきた。
【０００３】
長年にわたり木材運搬、貯留、生活用水の未処理合流式排水による汚泥の沈殿付着により現在は黒く汚染され、悪臭を放ち、毎年のように浄化コンテスト等が行われている。
【０００４】
市民より運河に清水をとの請願の声高く、きれいな街づくりをモットーとする市政にとって大きな課題である。
【０００５】
これまで下水道の完備、運河の浚渫、その他の川より清水の仮導入等試行されたがその結果はかなり水質も改善されたが在来の技術では道半ばである。
【０００６】
さらに大量の水を他河川より導入との声高く利水権の問題、河川の改修など莫大な費用のほか、浄化のため清水利用は貴重な水資源の浪費など幾多の大きな問題が横たわる。
【０００７】
一方河川の汚泥除去に関する特許は数多くあるが、運河の浄化に関する特許文献は見当たらない。
【発明の開示】
【発明が解決しようとする課題】
【０００８】
運河の浄化はきれいな街づくりをスローガンにする当市の重要な課題である。悪臭の原因は汚泥にあることが調査の結果でも明らかになりその一掃が最大の課題である。
【０００９】
その汚泥は長い間における生活汚水、産業汚染物などの沈殿物の堆積したものに他ならない。その汚泥を浄化するには単に水を上流から流すだけでは下層に沈殿した汚泥の浄化にあまり効果がない。沈殿付着した汚泥を如何にして剥離するかが問題である。
【００１０】
それに水面上より水面下の汚泥に向かって水を噴射しても水面の表面張力により洗浄能力は急減するから効果は期待できない。
【００１１】
例えば電機洗濯機のように、汚物を水中に入れて反転水流により直接汚泥に触れる水そのものを撹拌するのが効果的であると判断される。この攪拌作用を起こすに潮汐の落差を活用する方法を考案した
【課題を解決するための手段】
【００１２】
一部海につながった運河巾を長手方向に二分し中央に堤を築造して散策路とし、天地運行による潮汐現象を利用して図３の放流堰を設け怒涛を作り、蓄積した汚泥を押し流すことにより堀川を浄化することを特徴とした浄化方法。
【００１３】
運河の中央に散策路を作って運河を二分（図１参照）する。その片方の運河に満潮時の海水を堰き止め、他方の運河が干潮になったとき放流堰により一気に解放すれば海水は急流となりやがて怒涛となって汚泥を押し流すことが可能と考えられる。
【００１４】
ここに主たる構成を図１に示す。
【００１５】
運河の河口には図２に示す搖動型一枚戸ゲートを河口堰Ｃ、Ｄに設け運河奥の堀留部は連通とし堰き留めた海水を所定の高さから放流できる放流堰Ｅ、Ｆを設置する。
【００１６】
上流に小川が流入しているときは河口堰とは逆の揺動型ゲートＧ、Ｈを設置するとよい。
【００１７】
つぎにこれらの装置を用いて運河の汚泥浄化法について述べる。
【００１８】
干満の大きくない中潮、小潮時には河口堰Ｃ，Ｄとも河口堰のゲートは電動ワイヤで吊り上げて、海水は自由に流出入を繰返す
【００１９】
干満の差が２．０〜２．５ｍになる大潮時には、一方の河口堰Ｃゲート板を水中に下ろし、かつ運河奥の放流堰Ｆのゲートを最大にして流入した海水を運河Ａに閉じ込める。
【００２０】
その後引き潮になりＢ運河が空になったとき図３の放流堰の最上位のゲート板を電動ウィンチで引上げるとゲート板厚さの海水が一気に放流される（図３参照）
【００２１】
その落下速度はＢｅｒｎｏｕｌｌｉの定理を引用すれば
【数１】
2010236246.tif 000003
【００２２】
速度エネルギーの損失をなるべく少なくして河口に向かせるため円滑な滑走台を用いて軟着させる。
上式より落差Ｈのとき速度Ｖの対応値を表１に示す。
【表１】
2010236246.tif 000004
【００２３】
この速度エネルギーは河底の凹凸、摩擦により減速され後から押されて著しく上層下層の流水は上下逆転衝突を繰返し速度エネルギーは一部圧力に変換しやがて怒涛となり隅穴に堆積した汚泥を掘起し浮遊させて押し流す。
【００２４】
１回の浄化で残留物があれば第２波を発生させＢ運河をさらに浄化する。
【００２５】
以上がＢ運河の浄化法について述べたがＡ運河の浄化も全く同様な方法ただし放流堰Ｆから放流堰Ｅに換える。
【００２６】
こうしてＡＢ運河の浄化を完了するが組立式放流堰は順次落差が小さくなるに伴い水勢は弱くなり３、４枚目以降は怒涛を作るエネルギーは不足する
【００２７】
ゆく川の流れは絶えずしかも元の水にあらずと詠んだ故人の詩情に誘われ中道を散策する人々の心を癒すため川底に４０〜５０ｃｍの景石を２、３個を一群とし運河の河底に５群程度置石を施すがよい。
【発明の効果】
【００２８】
河川の浄化業に活用する。水清ければ川を小魚（ボラの子、サヨリ等）が列をなして登りそれを追う小鳥（シギ、サギ、カモメ、都鳥等）が羽を休め自然が戻る。市民も自然が戻ったと喜ぶ。市民の喜ぶ笑顔が目に浮かぶ。
【図面の簡単な説明】
【００２９】
【図１】運河を上から見た図
【図２】河口堰のゲート作動を示す図
【図３】放流堰を示す図
【発明を実施するための形態】
【００３０】
河口に近い川巾は１３０ｍ、全長（堀川と呼ばれている所）１６．２ｋｍ狭いところで３〜４ｍの巾のところもあり、河口に従って広くなっている。深さも河口で６ｍ、満潮時にはそれを加え８ｍになる。潮の干満の影響を受けるのは納屋橋あたりまで（北区黒川あたりは深さ５０ｍ、５ｍ巾）このあたりで流れを調べた結果４回かかって名古屋港（現在河口）にたどりついた。名古屋城より上流へ６Ｋ延び、又、七里の渡しは埋立てられ名古屋港まで短くなった。
毎年イベントが市民団体、行政で行い、掃除、しゅんせつ、音楽祭、水遊び等行っている。
【符号の説明】
【００３１】
Ａ，Ｂ  運河巾を長手方向に２分
Ｃ，Ｄ  河口堰
Ｅ，Ｆ  放流堰
Ｇ，Ｌ  流入堰
Ｍ      運河を２分する散策路
Ｈ      落差
１  堰板
２  回転軸
３  吊手
４  電動モータ
５  堰板
６  滑走台
【図１】
2010236246.tif 000005
【図２】
2010236246.tif 000006
【図３】
2010236246.tif 000007
【手続補正書】
【提出日】平成21年8月7日(2009.8.7)
【手続補正１】
【補正対象書類名】特許請求の範囲
【補正対象項目名】全文
【補正方法】変更
【補正の内容】
【特許請求の範囲】
【請求項１】
海につながった運河巾を長手方向に二分し中央に堤を築造して散策路とし、海の干潮現象を利用し、放流堰を設けて急流を作り上層下層の流水は上下逆転衝突を繰り返しやがて怒涛を作り、蓄積した汚泥を剥離浮遊させて押し流すことにより運河を浄化することを特徴とする浄化方法。
【手続補正書】
【提出日】平成21年10月14日(2009.10.14)
【手続補正１】
【補正対象書類名】特許請求の範囲
【補正対象項目名】全文
【補正方法】変更
【補正の内容】
【特許請求の範囲】
【請求項１】
海につながった運河巾を長手方向に二分し、運河がＵ字状となるように中央に堤を築造して散策路とし、海の干満現象を利用し、二分した河口に設けたそれぞれの河口堰と運河奥に設けたそれぞれの放流堰により片方の運河に満潮時の海水を堰き止め、他方の運河が干潮になったとき放流堰により一気に海水を解放し、他方の運河に急流を作り上層下層の流水は上下逆転衝突を繰り返しやがて怒濤を作り、蓄積した汚泥を剥離浮遊させて押し流すことにより運河を浄化することを特徴とする浄化方法。